(57)【要約】【課題】  放熱性，通気性，吸湿性等のソバ殻の本来の良さを享受できるようにするとともに、別途の防虫処理、例えば、薬品処理（燻蒸処理）や高熱処理等を施すことなく、カビやダニ等の発生を有効に抑制する。【解決手段】  枕袋２に中素材としてソバ殻３…を充填した枕１を構成するに際して、枕袋２に水分含有率が１０〔％〕以下になるまで乾燥させたソバ殻３…を中素材として充填することにより枕本体４を構成し、この枕本体４を密封袋５に収容する。この場合、密封袋５には、湿気を通さない合成樹脂製の包装用袋５ｓを用いる。【選択図】  図１
0003107266.tif 000002
【実用新案登録請求の範囲】
【請求項１】
枕袋に中素材としてソバ殻を充填した枕において、前記枕袋に水分含有率が１０〔％〕以下になるまで乾燥させたソバ殻を中素材として充填することにより枕本体を構成し、この枕本体を密封袋に収容してなることを特徴とする枕。
【請求項２】
前記密封袋は、湿気を通さない合成樹脂製の包装用袋であることを特徴とする請求項１記載の枕。
【考案の詳細な説明】
【技術分野】
【０００１】
本考案は、枕袋にソバ殻を充填してなる枕の改良に関する。
【背景技術】
【０００２】
一般に、枕袋にソバ殻を充填した枕（ソバ殻枕）は広く知られている。ところで、ソバ殻は、通常、１６〔％〕程度の水分を含有しているため、包装袋に収容した商品として店舗等に置かれた場合、包装袋の内部で水蒸気が発生し、これにより、包装袋の内部における湿度は、約５５〜６５〔％〕程度まで上昇する。一方、湿度が６０〔％〕を越え、温度が２５〔℃〕を越えた環境では、カビやダニ等が発生しやすいと云われている。したがって、上述した包装袋にソバ殻枕を収容した商品の場合、包装袋の内部は、カビやダニ等が発生しやすい環境となり、例えば、お客が店舗で枕を購入し、家で包装袋を開けたら中に虫が入ったいたなどの不具合を生じかねない。
【０００３】
このため、従来より、虫の発生防止を考慮した枕も、例えば、特開２００２−３０６３００号公報で知られている。この枕は、袋状の本体と、この本体に収容された中材とからなるとともに、中材として豆の種皮を乾燥させた乾燥種皮を用いたものであり、特に、乾燥種皮により虫が付くことが防止される。
【特許文献１】特開２００２−３０６３００号
【考案の開示】
【考案が解決しようとする課題】
【０００４】
しかし、上述した従来の枕は、次のような問題点があった。
【０００５】
第一に、中材に豆の種皮を使用するという材料変更を内容とするため、いわばソバ殻の良さ、即ち、放熱性，通気性，吸湿性等のソバ殻の良さを得ることができない。
【０００６】
第二に、乾燥種皮は、単なる乾燥したものに過ぎないため、虫の発生を完全に抑えることができるか否か不明であり、数値的に十分な乾燥が行われるとは云い難い。
【０００７】
本考案は、このような背景技術に存在する課題を解決した枕の提供を目的とするものである。
【課題を解決するための手段】
【０００８】
本考案は、上述した課題を解決するため、枕袋２に中素材としてソバ殻３…を充填した枕１を構成するに際して、枕袋２に水分含有率が１０〔％〕以下になるまで乾燥させたソバ殻３…を中素材として充填することにより枕本体４を構成し、この枕本体４を密封袋５に収容してなることを特徴とする。この場合、考案の好適な態様により、密封袋５には、湿気を通さない合成樹脂製の包装用袋５ｓを用いることができる。
【考案の効果】
【０００９】
このような構成を有する本考案に係る枕１によれば、次のような顕著な効果を得ることができる。
【００１０】
（１）  水分含有率が１０〔％〕以下になるまで乾燥させたソバ殻３…を中素材として用いるため、ソバ殻３…の特長、即ち、放熱性，通気性，吸湿性等のソバ殻の本来の良さを享受できる。
【００１１】
（２）  ソバ殻３…を水分含有率が１０〔％〕以下になるまで乾燥させるため、枕本体４を密封袋５に収容した場合、密封袋５内部の湿度を３０〔％〕以下に抑えることができ、別途の防虫処理、例えば、薬品処理（燻蒸処理）や高熱処理等を施すことなく、カビやダニ等の発生を有効に抑制できる。
【００１２】
（３）  好適な態様により、密封袋５として、湿気を通さない合成樹脂製の包装用袋５ｓを用いれば、包装用袋５ｓを密封袋５に兼用できるため、別途の密封袋５が不要にできる利点がある。
【考案を実施するための最良の形態】
【００１３】
次に、本考案に係る最良の実施形態を挙げ、図面に基づき詳細に説明する。
【００１４】
まず、本実施形態に係る枕１の製造方法について、図１及び図２を参照しつつ図３に示すフローチャートに従って説明する。
【００１５】
最初に、所要量のソバ殻３…を準備し、洗浄を行う（ステップＳ１，Ｓ２）。天然（原ソバ）のソバ殻３…は、通常、１６〔％〕程度の水分を含有しており、乾燥させた後、大気中にそのまま放置した場合には、１３〔％〕程度の水分含有率となる。本実施形態では、洗浄したソバ殻３…を、８０〔℃〕程度の温風下に２０〜３０分間晒すことにより除湿乾燥処理を行う（ステップＳ３，Ｓ４）。この場合、乾燥温度（設定温度）及び乾燥時間（設定時間）は、除湿乾燥処理後におけるソバ殻３…の水分含有率が１０〔％〕以下、望ましくは６〜７〔％〕程度となるように設定する。
【００１６】
一方、ソバ殻３…に対する除湿乾燥処理を行ったなら直ちに計量を行う（ステップＳ５）。なお、計量は、ソバ殻３…の準備段階等において、予め行っておいてもよい。そして、計量したソバ殻３…は、中素材として予め用意した布材等により製作された枕袋２に充填し、開口を封止する（ステップＳ６）。これにより、通常使用する際における枕本体４が得られる。
【００１７】
次いで、枕本体４が得られたなら、吸湿が進行しないように、速やかに密封袋５に収容して密封する（ステップＳ７）。この場合、密封袋５としては、湿気を通さない合成樹脂製の包装用袋５ｓを用いることができる。包装用袋５ｓであるため、この包装用袋５ｓは、内部が透けて見える透明袋として形成され、袋面には、所要の商品名，使用方法，特長等が印刷（表示）されている。このように、密封袋５として、湿気を通さない合成樹脂製の包装用袋５ｓを利用すれば、包装用袋５ｓを密封袋５として兼用でき、別途の密封袋５が不要になる利点がある。これにより、図２に示すような、目的とする枕１を得ることができる。
【００１８】
よって、このように構成される枕１は、水分含有率が１０〔％〕以下になるまで乾燥させたソバ殻３…を中素材として用いるため、ソバ殻３…の特長、即ち、放熱性，通気性，吸湿性等のソバ殻の本来の良さを享受できることに加え、ソバ殻３…を水分含有率が１０〔％〕以下になるまで乾燥させるため、枕本体４を密封袋５に収容した場合、密封袋５内部の湿度を３０〔％〕以下に抑えることができ、別途の防虫処理、例えば、薬品処理（燻蒸処理）や高熱処理等を施すことなく、カビやダニ等の発生を有効に抑制できる。
【００１９】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２０】
例えば、中素材としてソバ殻３…のみを枕袋２に充填した場合を例示したが、必要に応じてソバ殻３…に加え、他の材料、例えば、芳香剤や補助充填材等を添加してもよい。また、密封袋５は、湿気を通さない合成樹脂製の包装用袋５ｓと兼用する場合を示したが、専用の密封袋５を使用し、この密封袋５を別体の包装用袋５ｓに収容したり、或いは密封袋５に別体の包装紙を付すなどしてもよい。
【図面の簡単な説明】
【００２１】
【図１】本考案の最良の実施形態に係る枕の断面図、
【図２】同枕の斜視図、
【図３】同枕の製造方法を説明するためのフローチャート、
【符号の説明】
【００２２】
１    枕
２    枕袋
３…  ソバ殻
４    枕本体
５    密封袋
５ｓ  包装用袋
【図１】
0003107266.tif 000003
【図２】
0003107266.tif 000004
【図３】
0003107266.tif 000005